(57)【要約】【課題】  羽毛の吹き出しを防止しつつ、柔軟性などの特性に優れた生地を容易に設けることができ、さらにその外観の装飾性を維持することができる羽毛布団及びその製造方法を提供すること。【解決手段】  内部に羽毛６が充填され、表生地７を有する袋体２と、前記表生地７の外面に設けられた外生地３と、を備え、前記表生地７が、前記羽毛６の吹き出しを防止するための繊維密度の高い生地からなるとともに、前記外生地３が、前記表生地７よりも繊維密度の低い生地からなっており、前記表生地７と前記外生地３との少なくとも一部が、熱接着されていることを特徴とする。【選択図】        図３
2006346246.tif 000002
【特許請求の範囲】
【請求項１】
内部に羽毛が充填され、表生地を有する袋体と、
前記表生地の外面に設けられた外生地と、を備え、
前記表生地が、前記羽毛の吹き出しを防止するための繊維密度の高い生地からなるとともに、
前記外生地が、前記表生地よりも繊維密度の低い生地からなっており、
前記表生地と前記外生地との少なくとも一部が、熱接着されていることを特徴とする羽毛布団。
【請求項２】
前記表生地が、羽毛吹き出し防止加工された生地であり、
前記外生地が、前記羽毛吹き出し防止加工されていない生地であることを特徴とする請求項１に記載の羽毛布団。
【請求項３】
前記袋体が、この袋体の内部を複数の区画室に区切るマチ布を備えることを特徴とする請求項１または請求項２に記載の羽毛布団。
【請求項４】
前記マチ布の少なくとも一部が、縫着部を介して前記袋体に縫い付けられていることを特徴とする請求項３に記載の羽毛布団。
【請求項５】
前記縫着部が、前記表生地と前記外生地との熱接着部に位置するように設定されていることを特徴とする請求項４に記載の羽毛布団。
【請求項６】
前記マチ布と前記袋体との少なくとも一部が、熱接着されていることを特徴とする請求項３に記載の羽毛布団。
【請求項７】
前記表生地と前記外生地との少なくとも一部を熱接着させるための熱が加えられたときの余熱によって、前記マチ布と前記袋体との少なくとも一部が、熱接着されていることを特徴とする請求項６に記載の羽毛布団。
【請求項８】
前記外生地が、シルクを有するとともに、
前記表生地が、綿を有していることを特徴とする請求項１から請求項７のいずれか一項に記載の羽毛布団。
【請求項９】
内部に羽毛が充填され、表生地を有する袋体と、この袋体の内部を複数の区画室に区切るマチ布と、前記表生地の外面に設けられた外生地と、を備える羽毛布団の製造方法において、
前記袋体の内部に、前記マチ布を取り付ける取り付け工程と、
この取り付け工程によってマチ布が取り付けられた袋体の前記表生地の外面に、熱によって融解する接着用部材を設ける接着準備工程と、
この接着準備工程によって接着用部材が設けられた表生地の外面に、外生地を設置する設置工程と、
この設置工程によって外生地が設置された状態の接着用部材に熱を加える加熱工程と、を備えることを特徴とする羽毛布団の製造方法。
【発明の詳細な説明】
【技術分野】
【０００１】
本発明は、羽毛が充填された羽毛布団及びその製造方法に関するものである。
【背景技術】
【０００２】
近年、綿などと比較して軽くて暖かいという利点を有する羽毛布団が広く利用されている。ここで、羽毛は、生地の繊維と繊維の間を通って外部に吹き出し易いため、羽毛が充填される袋体の生地に、羽毛吹き出し防止加工が施されるのが一般的である。しかし、羽毛吹き出し防止加工が施されると、生地の縦糸と横糸との繊維密度が高められ、繊維の目が詰められるため、羽毛の吹き出しは防止されるが、生地が硬くなり肌触りも劣化してしまう。そのため、例えば、シルクなどのように、光沢を有し肌触りのよい高級な生地を、羽毛布団の側として利用することができない。
【０００３】
そこで、羽毛吹き出し防止加工が施された袋体の内部に羽毛を充填し、その袋体の表生地の外面に、羽毛吹き出し防止加工が施されていない外生地を縫い付けるようにしたものが提案されている（例えば、特許文献１参照。）。これにより、表生地によって羽毛の吹き出しを防止しつつ、外生地によって、柔軟性などを向上させることができる。
【特許文献１】特開平０３−２６４００７号公報
【発明の開示】
【発明が解決しようとする課題】
【０００４】
しかしながら、上記特許文献１に記載の構成では、外生地の表面に縫い目が現れてしまうという問題がある。そのため、外生地に施した刺繍などの模様による美観を損ねてしまう。
【０００５】
本発明は、上記事情に鑑みてなされたもので、羽毛の吹き出しを防止しつつ、柔軟性などの特性に優れた生地を容易に設けることができ、さらにその外観の装飾性を維持することができる羽毛布団及びその製造方法を提供することを目的とする。
【課題を解決するための手段】
【０００６】
上記課題を解決するために、本発明は以下の手段を提供する。
本発明に係る羽毛布団は、内部に羽毛が充填され、表生地を有する袋体と、前記表生地の外面に設けられた外生地と、を備え、前記表生地が、前記羽毛の吹き出しを防止するための繊維密度の高い生地からなるとともに、前記外生地が、前記表生地よりも繊維密度の低い生地からなっており、前記表生地と前記外生地との少なくとも一部が、熱接着されていることを特徴とする。
【０００７】
この発明に係る羽毛布団においては、表生地と外生地との少なくとも一部が熱接着される。また、表生地により、羽毛の吹き出しが防止され、外生地により、布団の肌触りや柔軟性などの特性が向上する。
これにより、羽毛の吹き出しを防止しつつ、柔軟性などの特性に優れた生地を容易に設けることができ、さらに、従来のように外生地に縫い目などが付くことを防止することができる。
なお、布団の特性としては、肌触りや柔軟性の他に、光沢、保温性、通気性なども挙げられる。
【０００８】
また、本発明に係る羽毛布団は、請求項１に記載の羽毛布団において、前記表生地が、羽毛吹き出し防止加工された生地であり、前記外生地が、前記羽毛吹き出し防止加工されていない生地であることを特徴とする。
【０００９】
この発明に係る羽毛布団においては、表生地によって、羽毛の吹き出しを確実に防止することができ、外生地によって、布団の特性を向上させることができる。
【００１０】
また、本発明に係る羽毛布団は、請求項１または請求項２に記載の羽毛布団において、前記袋体が、この袋体の内部を複数の区画室に区切るマチ布を備えることを特徴とする。
【００１１】
この発明に係る羽毛布団においては、マチ布によって羽毛の移動が規制される。
これにより、羽毛の偏りを防止することができ、布団の形状を維持して均一に保温するこができる。
【００１２】
また、本発明に係る羽毛布団は、請求項３に記載の羽毛布団において、前記マチ布の少なくとも一部が、縫着部を介して前記袋体に縫い付けられていることを特徴とする。
【００１３】
この発明に係る羽毛布団においては、縫着部により、マチ布と袋体との少なくとも一部を確実に連結することができる。
【００１４】
また、本発明に係る羽毛布団は、請求項４に記載の羽毛布団において、前記縫着部が、前記表生地と前記外生地との熱接着部に位置するように設定されていることを特徴とする。
【００１５】
この発明に係る羽毛布団においては、縫着部が、表生地と外生地との熱接着部に位置していることから、縫着部の糸のほつれ等を防止することができ、袋体の耐久性を向上させることができる。
【００１６】
また、本発明に係る羽毛布団は、請求項３に記載の羽毛布団において、前記マチ布と前記袋体との少なくとも一部が、熱接着されていることを特徴とする。
【００１７】
この発明に係る羽毛布団においては、マチ布と袋体との少なくとも一部を容易かつ確実に連結することができる。
【００１８】
また、本発明に係る羽毛布団は、請求項６に記載の羽毛布団において、前記表生地と前記外生地との少なくとも一部を熱接着させるための熱が加えられたときの余熱によって、前記マチ布と前記袋体との少なくとも一部が、熱接着されていることを特徴とする。
【００１９】
この発明に係る羽毛布団においては、加熱することにより、表生地と外生地との少なくとも一部が熱接着し、そのときの余熱によって、マチ布と袋体との少なくとも一部が、熱接着する。
これにより、一度の作業によって、外生地及び表生地、並びに表生地及びマチ布を容易に接着することができる。
【００２０】
請求項１から請求項７のいずれか一項に記載の羽毛布団において、前記外生地が、シルクを有するとともに、前記表生地が、綿を有していることを特徴とする。
【００２１】
この発明に係る羽毛布団においては、シルクによって外生地の肌触りなどの特性を向上させることができるとともに、綿によって表生地の羽毛吹き出し防止効果を向上させることができる。
【００２２】
また、本発明に係る羽毛布団の製造方法は、内部に羽毛が充填され、表生地を有する袋体と、この袋体の内部を複数の区画室に区切るマチ布と、前記表生地の外面に設けられた外生地と、を備える羽毛布団の製造方法において、前記袋体の内部に、前記マチ布を取り付ける取り付け工程と、この取り付け工程によってマチ布が取り付けられた袋体の前記表生地の外面に、熱によって融解する接着用部材を設ける接着準備工程と、この接着準備工程によって接着用部材が設けられた表生地の外面に、外生地を設置する設置工程と、この設置工程によって外生地が設置された状態の接着用部材に熱を加える加熱工程と、を備えることを特徴とする。
【００２３】
この発明に係る羽毛布団の製造方法においては、取付工程によって袋体の内部にマチ布が取り付けられ、接着準備工程によって、表生地の外面に接着用部材が設けられる。さらに、設置工程により、表生地の外面に外生地が設置され、加熱工程により、接着用部材に熱が加えられる。
【００２４】
これにより、表生地によって羽毛の吹き出しを防止しつつ、外生地によって柔軟性などの特性を発揮することができ、さらに、外生地に縫い目などが付かない羽毛布団を得ることができる。
【発明の効果】
【００２５】
本発明によれば、従来のように外生地に縫い目などが付くことを防止することができることから、羽毛の吹き出しを防止しつつ、柔軟性などの特性に優れた生地を容易に設けることができ、さらにその外観の装飾性を維持することができる。
【発明を実施するための最良の形態】
【００２６】
以下、本発明の実施形態における羽毛布団について、図面を参照して説明する。
図１は、本発明の実施形態としての羽毛布団１を示したものである。
羽毛布団１は、矩形袋状に形成された袋体２と、矩形状に形成された外生地３とを備えている。
袋体２は、図２に示すように、その内部に羽毛６が充填されている。また、袋体２の表生地７及び裏生地８には、縦横に（格子状に）キルティング加工線１１が設けられている。なお、表生地７は、使用者が羽毛布団１を掛けたときに上側に配される生地であり、裏生地８は、下側（身体側）に配される生地をいう。
【００２７】
また、表生地７及び裏生地８の内面には、図３に示すように、帯状に延びるマチ布１２が縦横に縫い付けられている。そして、マチ布１２を縫い付けた縫着部１３が、上記キルティング加工線１１となって、表生地７及び裏生地８の外面に現れている。マチ布１２としては、例えばトリコットテープが用いられる。これらマチ布１２が設けられることにより、袋体２の内部が、複数の区画室２ａ，２ｂ，２ｃ・・・に区切られており、各区画室２ａ，２ｂ，２ｃ・・・に、羽毛６が充填されている。
また、表生地７の外面には、上記外生地３が設けられている。外生地３の外面には、刺繍による花柄の模様（不図示）が付されている。
【００２８】
さらに、本実施形態における表生地７は、コットンからなり、羽毛６を外部に吹き出させないようにするための羽毛吹き出し防止加工（ダウンプルーフ加工）が施されている。すなわち、表生地７は、羽毛の吹き出しを防止するための繊維密度の高い生地からなっている。一方、外生地３は、シルク及びコットンからなり、羽毛吹き出し防止加工は施されていない。すなわち、外生地３は、表生地７よりも繊維密度の低い生地からなっている。このような、外生地３と表生地７とが、キルティング加工線１１上に設けられた熱接着部１６を介して熱接着されている。すなわち、縫着部１３は、熱接着部１６に位置するように設定されている。熱接着部１６は、熱によって融解する接着テープ（接着部材）１８からなっている。接着テープ１８は、例えばポリエステル１００％、０．７ミクロン、融点１２０℃の生地からなっている。また、外生地３及び表生地７の縁部は、図１に示す縫い付け部１７によって互いに縫い付けられている。
【００２９】
次に、このような羽毛布団１の製造方法について、その全工程のうちの特に外生地３と表生地７とを熱接着する工程を中心として説明する。
まず、図４に示すように、羽毛吹き出し防止加工が施された表生地７に、マチ布１２を縫い付ける（取り付け工程）。これにより、図５に示すように、縫着部１３を介して、マチ布１２が表生地７の内面に取り付けられる。それから、図６に示すように、キルティング加工線１１上に、接着テープ１８を貼り付ける（接着準備工程）。次いで、図７に示すように、表生地７の外面に、模様が付された外生地３を載せる（設置工程）。そして、図８に示すように、外生地３及び表生地７を所定の位置で仮固定する。それから、図９に示すように、外生地３の外面にアイロン２１をあてがい、外生地３を介して接着テープ１８の付近に熱を加える（加熱工程）。その熱が１２０℃以上になると、接着テープ１８が融解し、外生地３の内面に浸透していく。接着テープ１８が充分浸透してから、加熱を停止し、所定時間放置する（冷却工程）。すると、接着テープ１８が冷却されて固まる。これにより、外生地３と表生地７とが、格子状に配された熱接着部１６を介して、互いに接着される。
【００３０】
以上より、本実施形態における羽毛布団１によれば、表生地７と外生地３とが熱接着されていることから、外生地３に縫い目などが付くことを防止することができ、外生地３の外観の装飾性を維持することができる。さらに、表生地７により羽毛６の吹き出しを防止しつつ、外生地３により、柔軟性、肌触りや光沢などの特性を与えることができる。
また、マチ布１２により、袋体２における羽毛６の移動を規制することができるため、羽毛６の偏りを防止することができ、羽毛布団１の形状を維持して均一に保温するこができる。
さらに、キルティング加工線１１上に接着テープ１８が設けられ、縫着部１３が熱接着部１６に位置していることから、糸のほつれ等を防止することができ、またマチ布１２の縫い付けを補強することができる。そのため、袋体２の耐久性を向上させることができる。
【００３１】
なお、本実施形態においては、表生地７がコットンからなるとしたが、これに限ることはなく、他の素材であってもよい。例えば、ポリエステルやナイロン等の繊維密度の高い生地を使用すれば、羽毛吹き出し防止加工を不要にすることができる。
また、外生地３がシルク及びコットンからなるとしたが、これに限ることはなく、他の素材であってもよい。例えば、通気性を向上させるのであれば、麻生地なども使用することができる。その他にも、化学繊維素材なども使用することができる。
さらに、袋体２にマチ布１２を設けるとしたが、これに限ることはなく、複数の小袋体を互いに連結させ、全体として矩形の袋体を形成してもよい。
【００３２】
また、外生地３の模様が、刺繍による花柄とされているが、これに限ることはなく、適宜変更可能である。例えば、プリントや縫い付けなどによって、花柄以外の模様を付してもよい。
また、接着テープ１８の素材や融点などは適宜変更可能である。さらに、接着テープ１８に限ることはなく、例えば、感熱接着剤などを用いることができ、その熱接着方法は適宜変更可能である。
また、アイロン２１を用いるとしたが、これに限ることはなく、他の熱圧着機であってもよい。
さらに、外生地３と表生地７との縁部を縫い付け部１７を介して縫い付けるとしたが、これに限ることはなく、上述のような熱接着でもよい。
【００３３】
さらに、マチ布１２を表生地７に縫い付けるとしたが、これに限ることはなく、他の接着方法により接着させてもよい。例えば、マチ布１２と表生地７とを熱接着させてもよい。このとき、表生地７と外生地３とを熱接着させるための熱が加えられたときの余熱によって、マチ布１２と表生地７とを接着してもよい。例えば、図１０に示すように、マチ布１２の端部を折り曲げて、折り曲げ部１２ａを形成し、折り曲げ部１２ａに第１接着テープ２３を貼り付ける（第１の接着準備工程）。そして、この第１接着テープ２３の上に、羽毛吹き出し防止加工が施された表生地７を載せる。さらに、その表生地７の外面に第２接着テープ２２を貼り付ける（第２の接着準備工程）。その上に、外生地３を載せて（設置工程）、それら表生地７や外生地３などを所定の位置で仮固定する。
【００３４】
それから、アイロン２１により加熱する（加熱工程）。すると、その熱が第２接着テープ２２に伝わり、第２接着テープ２２が融解する。さらに、アイロン２１からの熱は、第１接着テープ２３にも伝わり、第１接着テープ２３も融解する。それから、冷却工程を経ると、外生地３と表生地７とが接着するだけでなく、さらに、表生地７とマチ布１２とが接着する。これにより、一度の作業によって、外生地３及び表生地７、並びに表生地７及びマチ布１２を容易かつ迅速に接着することができる。なお、マチ布１２の他端に、第３接着テープを設けることにより、マチ布１２及び裏生地８も前記一度の作業によって接着させてもよい。
なお、本発明の技術範囲は上記の実施形態に限定されるものではなく、本発明の趣旨を逸脱しない範囲において、種々の変更を加えることが可能である。
【図面の簡単な説明】
【００３５】
【図１】本発明に係る羽毛布団の実施形態を示す図であって、羽毛布団の全体を示す斜視図である。
【図２】図１の袋体を示す斜視図である。
【図３】図２の袋体の要部を拡大して示す断面図である。
【図４】図１の羽毛布団の製造過程を示す図であって、取り付け工程によって表生地にマチ布を取り付ける様子を示す説明図である。
【図５】図１の羽毛布団の製造過程を示す図であって、取り付け工程によって表生地にマチ布を取り付けた様子を示す説明図である。
【図６】図１の羽毛布団の製造過程を示す図であって、接着準備工程によって表生地に接着テープを貼り付けた様子を示す説明図である。
【図７】図１の羽毛布団の製造過程を示す図であって、設置工程によって表生地に外生地を載せる様子を示す説明図である。
【図８】図１の羽毛布団の製造過程を示す図であって、設置工程によって表生地に外生地を設置した様子を示す説明図である。
【図９】図１の羽毛布団の製造過程を示す図であって、加熱工程によって外生地を介して接着テープに加熱している様子を示す説明図である。
【図１０】製造過程の変形例の要部を示す図であって、加熱工程によって外生地を介して第１接着テープ及び第２接着テープに加熱している様子を示す説明図である。
【符号の説明】
【００３６】
１    羽毛布団
２    袋体
３    外生地
６    羽毛
７    表生地
１２  マチ布
１３  縫着部
１６  熱接着部
１８  接着テープ（接着用部材）
【図１】
2006346246.tif 000003
【図２】
2006346246.tif 000004
【図３】
2006346246.tif 000005
【図４】
2006346246.tif 000006
【図５】
2006346246.tif 000007
【図６】
2006346246.tif 000008
【図７】
2006346246.tif 000009
【図８】
2006346246.tif 000010
【図９】
2006346246.tif 000011
【図１０】
2006346246.tif 000012